【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
レーザー光を発する発光素子と、駆動電流によって前記発光素子を駆動させる駆動手段と、所定速度で回転することで前記レーザー光を被走査面上で走査させる回転多面鏡と、を有し、前記駆動手段は、第１発光強度及び前記第１発光強度よりも低い第２発光強度で前記発光素子を発光させることが可能な光学走査装置であって、
前記駆動手段は、第１駆動電流に第２駆動電流を加えた駆動電流によって前記発光素子を感光体のトナーが付着する画像部に向かって前記第１発光強度で発光させ、且つ、前記第２駆動電流によって前記発光素子を感光体のトナーが付着しない非画像部に向かって前記第２発光強度で発光させ、
前記駆動手段は、前記発光素子を前記第１発光強度で発光させて前記第１駆動電流を調整する第１調整工程と、前記発光素子を前記第２発光強度で発光させて前記第２駆動電流を調整する第２調整工程を実行可能で、
前記駆動手段は、前記回転多面鏡が回転を開始してから前記所定速度となるまでの間で、前記第１調整工程及び前記第２調整工程を行い、前記回転多面鏡が回転を開始した後で且つ前記第１調整工程を行う前に、前記第２調整工程を行うことを特徴とする光学走査装置。
【請求項２】
レーザー光を発する発光素子と、駆動電流によって前記発光素子を駆動させる駆動手段と、所定速度で回転することで前記レーザー光を被走査面上で走査させる回転多面鏡と、を有し、前記駆動手段は、第１発光強度及び前記第１発光強度よりも低い第２発光強度で前記発光素子を発光させることが可能な光学走査装置であって、
前記駆動手段は、第１駆動電流に第２駆動電流を加えた駆動電流によって前記発光素子を感光体のトナーが付着する画像部に向かって前記第１発光強度で発光させ、且つ、前記第２駆動電流によって前記発光素子を感光体のトナーが付着しない非画像部に向かって前記第２発光強度で発光させ、
前記駆動手段は、前記発光素子を前記第１発光強度で発光させて前記第１駆動電流を調整する第１調整工程と、前記発光素子を前記第２発光強度で発光させて前記第２駆動電流を調整する第２調整工程を実行可能で、
前記駆動手段は、前記回転多面鏡が回転を開始してから前記所定速度となるまでの間で、前記第１調整工程及び前記第２調整工程を行い、前記回転多面鏡が回転を開始した後で且つ前記第１調整工程及び第２調整工程を行う前に、前記発光素子を前記第１発光強度よりも低い第３発光強度で発光させて前記第１駆動電流を調整する第３調整工程を行うことを特徴とする光学走査装置。
【請求項３】
レーザー光を発する発光素子と、駆動電流によって前記発光素子を駆動させる駆動手段と、所定速度で回転することで前記レーザー光を被走査面上で走査させる回転多面鏡と、を有し、前記駆動手段は、第１発光強度及び前記第１発光強度よりも低い第２発光強度で前記発光素子を発光させることが可能な光学走査装置であって、
前記駆動手段は、第１駆動電流に第２駆動電流を加えた駆動電流によって前記発光素子を感光体のトナーが付着する画像部に向かって前記第１発光強度で発光させ、且つ、前記第２駆動電流によって前記発光素子を感光体のトナーが付着しない非画像部に向かって前記第２発光強度で発光させ、
前記駆動手段は、前記発光素子を前記第１発光強度で発光させて前記第１駆動電流を調整する第１調整工程と、前記発光素子を前記第２発光強度で発光させて前記第２駆動電流を調整する第２調整工程を実行可能で、
前記駆動手段は、前記回転多面鏡が回転を開始してから前記所定速度となるまでの間で、前記第１調整工程及び前記第２調整工程を行い、前記回転多面鏡が回転を開始した後で且つ前記第２調整工程を行う前に、前記第１駆動電流に所定の値の前記第２駆動電流を加えた駆動電流によって前記発光素子を前記第１発光強度で発光させて前記第１駆動電流を調整する前記第１調整工程を行うことを特徴とする光学走査装置。
【請求項４】
前記駆動手段は、前記第２調整工程を行った後に、前記第１駆動電流に前記第２駆動電流を加えた駆動電流によって前記発光素子を前記第１発光強度で発光させて前記第１駆動電流を調整する前記第１調整工程を行うことを特徴とする請求項１乃至３のいずれか一項に記載の光学走査装置。
【請求項５】
前記駆動手段は、前記回転多面鏡が回転を開始してから前記所定の速度となるまでの間で、前記第１調整工程及び前記第２調整工程を交互にそれぞれ複数回実行することを特徴とする請求項１乃至４のいずれか一項に記載の光学走査装置。
【請求項６】
前記駆動手段は、前記回転多面鏡が回転を開始してから前記所定速度となるまでの間に、前記発光素子を発光させない期間を少なくとも１回設けることを特徴とする請求項１乃至５のいずれか一項に記載の光学走査装置。
【請求項７】
前記回転多面鏡が回転を開始した後、前記回転多面鏡の速度が前記所定速度よりも遅い別の所定速度以上となると、前記駆動手段は前記第１調整工程を行うことを特徴とする請求項１乃至６のいずれか一項に記載の光学走査装置。
【請求項８】
前記発光素子から発せられ、前記回転多面鏡で反射したレーザー光を受光する受光部を有し、前記受光部からの出力に基づいて前記回転多面鏡の回転速度に関連する値を検出することを特徴とする請求項１乃至７のいずれか一項に記載の光学走査装置。
【請求項９】
前記駆動手段が前記第１調整工程を行っている間に前記回転多面鏡の回転速度に関連する値を検出可能であることを特徴とする請求項８に記載の光学走査装置。
【請求項１０】
請求項１乃至９のいずれか一項に記載の光学走査装置と、前記被走査面としての感光体と、前記感光体にトナーを付着させる現像手段と、を有し、前記レーザー光によって走査された前記感光体に前記現像手段がトナーを付着させることで画像を形成する画像形成装置であって、
前記駆動手段は、前記感光体上のトナーを付着させる画像部に対して、トナーを付着させるための前記第１発光強度で前記発光素子を発光させ、且つ、前記感光体上のトナーを付着させない非画像部に対して、トナーを付着させないための前記第２発光強度で前記発光素子を発光させることを特徴とする画像形成装置。
【請求項１１】
前記感光体を複数有し、前記光学走査装置が前記複数の感光体を夫々レーザー光で走査することで、複数色の画像を形成する請求項１０に記載の画像形成装置。
【手続補正２】
【補正対象書類名】明細書
【補正対象項目名】００１０
【補正方法】変更
【補正の内容】
【００１０】
上記目的を達成するため、本発明は、レーザー光を発する発光素子と、駆動電流によって前記発光素子を駆動させる駆動手段と、所定速度で回転することで前記レーザー光を被走査面上で走査させる回転多面鏡と、を有し、前記駆動手段は、第１発光強度及び前記第１発光強度よりも低い第２発光強度で前記発光素子を発光させることが可能な光学走査装置であって、前記駆動手段は、第１駆動電流に第２駆動電流を加えた駆動電流によって前記発光素子を感光体のトナーが付着する画像部に向かって前記第１発光強度で発光させ、且つ、前記第２駆動電流によって前記発光素子を感光体のトナーが付着しない非画像部に向かって前記第２発光強度で発光させ、前記駆動手段は、前記発光素子を前記第１発光強度で発光させて前記第１駆動電流を調整する第１調整工程と、前記発光素子を前記第２発光強度で発光させて前記第２駆動電流を調整する第２調整工程を実行可能で、前記駆動手段は、前記回転多面鏡が回転を開始してから前記所定速度となるまでの間で、前記第１調整工程及び前記第２調整工程を行い、前記回転多面鏡が回転を開始した後で且つ前記第１調整工程を行う前に、前記第２調整工程を行うことを特徴とする。